(57)【要約】【課題】  立体感のある異形の包装ケースを提供する。【解決手段】  所定形状のシートが折曲線１０で折り曲げられて、前面壁４と後面壁５と左右一対の側面壁６とを有する箱状に形成され、前面壁４と両側面壁６との間の折曲線１０ａが曲線である。【選択図】  図１
2005335758.tif 000002
【特許請求の範囲】
【請求項１】
所定形状のシートが折曲線で折り曲げられて箱状に形成された包装ケースにおいて、少なくとも一つの折曲線が非直線状であることを特徴とする包装ケース。
【請求項２】
前面壁と後面壁と左右一対の側面壁を有し、側面壁と前面壁あるいは後面壁との間の折曲線が非直線状である請求項１記載の包装ケース。
【請求項３】
両側面壁には該側面壁を縦断する折り畳み用の折曲線がそれぞれ設けられ、両折り畳み用の折曲線は側面壁の端部に設けられたサイドフラップを縦断すると共に、該折り畳み用の折曲線により包装ケースは扁平状に折り畳み可能に構成されている請求項２記載の包装ケース。
【発明の詳細な説明】
【技術分野】
【０００１】
本発明は、プラスチックシートや紙シート等から箱状に形成されて種々の物品を包装する包装ケースに関する。
【背景技術】
【０００２】
この種の包装ケースとしては例えば図１０に示すように透明又は半透明のプラスチックシートから直方体形状に形成されたもの（クリアケース）がある。この包装ケースの製法の一つとしては、例えば図１１に示すように、所定形状に裁断された一枚のプラスチックシートを折曲線２１０で折り曲げて糊代部２１１を接着して扁平状の包装ケースを形成し、その後、該扁平状の包装ケースを角筒状に折り起こし、サイドフラップ２１２と蓋部２１３（上蓋、下蓋）を折り曲げて両端開口をそれぞれ閉じて直方体形状の包装ケースを完成させる。
【発明の開示】
【発明が解決しようとする課題】
【０００３】
ところで、上述したような従来の包装ケースでは、前面壁や後面壁２１４、側面壁２１５等、何れの壁面も平坦であるので、他製品の包装ケースとの差別化が図りにくく、看者の注意を引くような立体感のある異形の包装ケースが求められていた。
【０００４】
そこで、本発明は、上記従来の問題に鑑みてなされ、立体感のある異形の包装ケースを提供することを課題とする。
【課題を解決するための手段】
【０００５】
本発明は、上記課題を解決すべくなされたものであり、本発明に係る包装ケースは、所定形状のシートが折曲線で折り曲げられて箱状に形成された包装ケースにおいて、少なくとも一つの折曲線が非直線状であることを特徴とする。
【０００６】
該構成の包装ケースにあっては、少なくとも一つの折曲線が非直線状であるので、その非直線状の折曲線を境界線として隣接する二つの壁面が平坦ではなく湾曲した面となる。
【０００７】
特に、前面壁と後面壁と左右一対の側面壁を有する場合には、側面壁と前面壁あるいは後面壁との間の折曲線を非直線状とすることが好ましい。前面壁と後面壁は特に目立つ部分であるので、それと側面壁との間の境界線である折曲線を非直線状とすることによって前面壁あるいは後面壁や側面壁が平坦でなくなり、より一層目立ちやすい立体感のある包装ケースが得られる。
【０００８】
また、その場合には、両側面壁には該側面壁を縦断する折り畳み用の折曲線がそれぞれ設けられ、両折り畳み用の折曲線は側面壁の端部に設けられたサイドフラップを縦断すると共に、該折り畳み用の折曲線により包装ケースは扁平状に折り畳み可能に構成されていることが好ましく、折り畳み用の折曲線によって包装ケースを折り畳むことができるので、折り畳み状態で輸送等することができ、また、シートから包装ケースを形成する際に折り畳み用の折曲線を利用して容易にシートを折り曲げることができると共に、糊代部を接着する場合には折り畳み状態で包装ケースを厚み方向に押圧して強固に接着することができる。
【発明の効果】
【０００９】
このように本発明に係る包装ケースにあっては、少なくとも一つの折曲線が非直線状であるので、従来のような平坦面のみからなる包装ケースに比して立体感が得られ、店頭等での陳列状態において看者の目を引くという効果を奏する。
【発明を実施するための最良の形態】
【００１０】
以下、本発明に係る包装ケースの一実施形態について図面を参酌しつつ説明する。
図１に本実施形態における包装ケースは、筒状部１と、該筒状部１の両端開口をそれぞれ閉塞する蓋部２，３とを有して、内部に物品を収容する空間を形成する箱状となっている。前記筒状部１は、前面壁４と後面壁５、及び左右一対の側面壁６とから角筒状に形成されている。但し、筒状部１の断面形状は一端から他端まで一定ではない。即ち、前面壁４と両側面壁６との間の折曲線１０ａ（境界線）は筒状部１の一端から他端まで直線ではなくそれぞれ前面壁４側に向けて凸の曲線となっており、それにより前面壁４の幅は両端から中央にかけて徐々に狭くなった鼓状となっている。その一方、後面壁５と両側面壁６との間の折曲線１０（境界線）は、筒状部１の一端から他端まで直線であり、従って、後面壁５は幅一定の長方形状となっている。
【００１１】
また、側面壁６は、該側面壁６を一端から他端まで縦断する直線状の折り畳み用の折曲線１０ｂ（区画線）により、前方側面壁６１と後方側面壁６２の前後二つに区画されている。上述のように、前面壁４と側面壁６との間の折曲線１０ａが曲線であるため、前方側面壁６１の幅は両端から中央にかけて徐々に広くなった形状である一方、後面壁５と側面壁６との間の折曲線１０は直線であるので、後方側面壁６２は幅一定の長方形状（帯状）となっている。尚、側面壁６の両端には前記蓋部２，３の内側に折り込まれたサイドフラップ７が設けられ、側面壁６を縦断する折曲線１０ｂはサイドフラップ７まで延設されて該サイドフラップ７を縦断している。
【００１２】
このように、前面壁４と側面壁６との間の折曲線１０ａが曲線であって且つ側面壁６にはそれを縦断するように折り畳み用の折曲線１０ｂが設けられているので、筒状部１は、その両端開口は図２の二点鎖線のように矩形（長方形）であるが、長手方向略中央においては図２の実線のように略六角形状の断面形状を有している。即ち、左右の前方側面壁６１は後方に向けて互いの離間距離がハの字状に広がった状態となっており、左右の後方側面壁６２は前方に向けて互いの離間距離がハの字状に広がった状態となっている。即ち、前方側面壁６１と後方側面壁６２は互いの間の折曲線１０ｂにおいて、くの字状に折れ曲がっている。この折れ曲がりの程度は図２に示すような長手方向略中央で最も大きく、そこから両端に向けて徐々に小さくなって、両端においては略折れ曲がりのない状態となっている。
【００１３】
かかる筒状部１の両端開口を閉塞する蓋部２，３は、筒状部１の両端開口と略同形であって前面壁４の端部に延設された矩形の蓋本体部２１，３１と、該蓋本体部２１，３１の先端に延設されて後面壁５の内側に差し込まれる差し込み片部２２，３２とから構成される。尚、差し込み片部２２，３２の先端中央部には円弧状の切欠２３，３３が形成され、該切欠２３，３３に指を引っかけることで差し込み片部２２，３２を容易に差し込むことができる。また、後面壁５の両端部中央部にも円弧状の切欠５１，５２がそれぞれ形成され、該切欠５１，５２を介して差し込み片部２２，３２は部分的に表出し、その表出した部分に指をあてることで差し込み片部２２，３２を容易に抜き出して筒状部１の開口を開放することができる。
【００１４】
以上のような包装ケースは、図３に示すような展開状の一枚の透明なプラスチックシート１００から形成される。該プラスチックシート１００は、長尺状のプラスチックシートを所定形状に裁断すると共に所定位置に折曲線１０（１０ａ，１０ｂ）を形成することによって形成される。裁断されたプラスチックシート１００の一側には糊代部８が設けられており、一方の側面壁６を縦断する折曲線１０ｂ（図３のＡ位置）で谷折りに折り曲げて重ね合わせた後に、他方の側面壁６を縦断する折曲線１０ｂ（図３のＢ位置）で谷折りに折り曲げて糊代部８を後面壁５の外側に重ね合わせて接着剤の塗布等により接着して、図４のように両端が開口し且つ筒状部１が扁平に折り畳まれた状態の包装ケースを形成する。尚、糊代部８を後面壁５に接着して筒状部１を形成する際には、折り畳まれた包装ケースＰを図５に示すような上下一対の挟持体１１０の間に通すことで包装ケースＰを上下に押圧して接着させる。該挟持体１１０は、ゴム製の無端ベルト１１１と、該無端ベルト１１１をその内側から反対側の挟持体１１０側に向けて押す複数のローラ１１２と、該ローラ１１２に押圧力を付与するバネ１１３とを備え、上下の無端ベルト１１１間に包装ケースＰが挿通される。
【００１５】
ここで、プラスチックシート１００としては、ポリエチレンテレフタレート等のポリエステル、ポリ塩化ビニル、ポリプロピレン、ポリスチレン等の合成樹脂から硬質又は半硬質に形成されてなるもので、その肉厚は０．１ｍｍ乃至０．８ｍｍのものが使用される。
【００１６】
また、折曲線１０として折曲罫線が形成されている。該折曲罫線は、例えば、一定深さの凹溝からなるもの、凹溝に所定間隔毎に貫通孔を設けたもの、凹溝の長手方向に沿って凹凸を形成したもの等、種々のものを採用することができる。その一例としては、断面視略Ｖ字状の凹溝に、その長手方向に沿って一定間隔毎に凹凸を形成したミシン目状の折曲罫線がある。
【００１７】
以上のように構成された包装ケースにあっては、前面壁４と側面壁６との間の折曲線１０ａが円弧状の曲線であるため、側面壁６が湾曲した曲面となり、従来にはない異形状の包装ケースが得られる。従って、該包装ケースに物品を収容すると、従来のものに対してその製品が店頭等の陳列時において目立ちやすくなる。また、側面壁６が湾曲する結果として前面壁４も僅かに湾曲しやすくなるので、従来のような平坦面の前面壁４に比してその点でも目立ちやすくなる。更に、後面壁５は従来どおり平坦であるので、印刷やラベル貼着等によって表示部を形成する際に曲面に比して好適であり、且つ、大きな表示面積を確保することができる。
【００１８】
また、左右両側面壁６にそれぞれ縦断する折曲線１０ｂを形成しているので、図４のように縦断する折曲線１０ｂにより包装ケースを扁平状に折り畳むことができる。即ち、前面壁４と側面壁６との間の折曲線１０ａが直線ではなく曲線であるので従来のようにその折曲線１０ａで包装ケースを折り畳むことはできないが、側面壁６に折り畳み用の折曲線１０ｂを形成しているのでその折り畳み用の折曲線１０ｂで包装ケースを折り畳むことができる。これは、包装ケースを扁平状のままで重ねて輸送等することができるというメリットがあるうえに、糊代部８で接着する際においても図５のような上下一対の挟持体１１０で包装ケースを挟持し押圧して強固に接着することができるという利点がある。
【００１９】
尚、本実施形態では、前面壁４と側面壁６との間の境界線である折曲線１０ａが曲線である場合を説明したが、曲線以外の非直線状であってもよい。例えば、図６のように二つの屈曲部Ｃを有して前面壁４側に凸となった屈曲線であってもよい。また、後面壁５と側面壁６との間の折曲線１０を非直線状としてもよい。例えば、図７のように、一方の側面壁６と前面壁４及び後面壁５との間の折曲線１０ａについては、前面壁４側及び後面壁５側に凸の曲線とし、他方の側面壁６と前面壁４及び後面壁５との間の折曲線１０ａについては、側面壁６側に凸の曲線とすることができる。但し、どちら側に凸とするかは種々変更可能であって、また、曲線と屈曲線の双方が混在して使用されていてもよい。更に、例えば、左右両側面壁６と前面壁４との間の両折曲線１０ａのうちの一方のみ、あるいは、左右両側面壁６と後面壁５との間の両折曲線１０ａのうちの一方のみを非直線状としてもよい。
【００２０】
更に、包装ケースの形状についても種々変更可能であって、例えば、図８や図９のように側面壁６が一端側を頂点とし他端側を底辺とする先細り形状（略三角形状）であってもよい。尚、図８に示すプラスチックシート１００から形成される包装ケースの場合、上側の蓋部２における差し込み片部２２を、後面壁５とその上端に延設されたフラップ５３との間の境界部分に形成された切り込み５５に挿入し、蓋本体部２１とフラップ５３とで上方開口を閉じる構成となっている。尚、フラップ５３の先端にも円弧状の切欠５４が形成されている。また、図９に示すプラスチックシート１００から形成される包装ケースの場合、上方開口はスリット状であるので、フラップ２５のみが蓋部２となって後面壁５の外側に折り曲げられて重ね合わせられる。
【００２１】
また、上記実施形態では、側面壁６を縦断する折り畳み用の折曲線１０ｂを形成したが、この折り畳み用の折曲線１０ｂを省略してもよい。但し、側面壁６に折り畳み用の折曲線１０ｂを形成することにより、包装ケースをそれを基点として折り畳むことができるので、機械的に包装ケースを製造する際のシートの折曲工程や接着工程において容易に折り曲げたり接着したりすることができ、また、折り畳んだ状態で輸送等できるため、好ましい。
【００２２】
尚、包装ケースを構成するシートとしてプラスチックシート１００を例に説明したが、紙製のシートを使用するなど、シートの材質等にも限定されない。但し、透明なプラスチックシート１００を用いた場合は、立体感が得られるだけでなく湾曲面等を透して商品等の収容物（被包装物）を見せることができるため好ましい。
【図面の簡単な説明】
【００２３】
【図１】本発明の一実施形態に係る包装ケースの斜視図。
【図２】同包装ケースの横断面図。
【図３】同包装ケースの展開図。
【図４】同包装ケースの折り畳み状態を示す正面図。
【図５】同包装ケースの製造に使用される製造装置の要部を示す正面図。
【図６】他の実施形態における包装ケースの展開図。
【図７】他の実施形態における包装ケースの展開図。
【図８】他の実施形態における包装ケースの展開図。
【図９】他の実施形態における包装ケースの展開図。
【図１０】従来の包装ケースを示す斜視図。
【図１１】（イ）乃至（ハ）は同包装ケースの製造工程を示す斜視図。
【符号の説明】
【００２４】
１…筒状部、２，３…蓋部、４…前面壁、５…後面壁、６…側面壁、７…サイドフラップ、８…糊代部、１０、１０ａ，１０ｂ…折曲線、２１，３１…蓋本体部、２２，３２…差し込み片部、２３，３３，５１，５２…切欠、６１…前方側面壁、６２…後方側面壁、１００…プラスチックシート、１１０…挟持体、１１１…無端ベルト、１１２…ローラ、１１３…バネ
【図１】
2005335758.tif 000003
【図２】
2005335758.tif 000004
【図３】
2005335758.tif 000005
【図４】
2005335758.tif 000006
【図５】
2005335758.tif 000007
【図６】
2005335758.tif 000008
【図７】
2005335758.tif 000009
【図８】
2005335758.tif 000010
【図９】
2005335758.tif 000011
【図１０】
2005335758.tif 000012
【図１１】
2005335758.tif 000013